(57)【特許請求の範囲】
【請求項１】
造営材に取り付けられる有底円筒形状の器具本体と、
前記器具本体に設けられた電源部および光源部と、
前記器具本体の少なくとも外周面を覆う略円筒形状のカバーと、
前記器具本体の前記外周面に設けられた係合凹部と、
前記カバーの内周面に設けられ、前記係合凹部に係合する係合凸部と、を備え、
前記係合凹部は、
前記外周面の母線に沿って所定寸法連続する第１溝部と、
前記第１溝部に連続するととともに前記外周面の周方向に所定寸法連続する第２溝部と、
前記第１溝部に設けられ、前記器具本体の径方向に沿って前記係合凸部が乗り越える第１突起と、
前記第２溝部に設けられ、前記外周面の母線方向に沿って前記係合凸部が乗り越える第２突起と、を備える照明器具。
【請求項２】
請求項１に記載の照明器具において、
前記器具本体に設けられた第１端子台および第２端子台を有し、
前記第１端子台の電線挿入孔および前記第２端子台の電線挿入孔は、前記器具本体の平面中央部に向けられている照明器具。
【発明の詳細な説明】
【技術分野】
【０００１】
本発明は、造営材に器具本体が取り付けられ、器具本体の外周面がカバーで覆われる照明器具に関する。
【背景技術】
【０００２】
照明器具のなかには、上部セード（以下、器具本体という）の内周面に設けられた係合凸部と、下部セード（以下、カバーという）の外周面に設けられた係合凹部を係合させることにより器具本体にカバーが固定されるものが知られている。係合凹部は、外周面の母線に沿う第１溝部と、第１溝部に連続するとともに外周面の周方向に沿う第２溝部とを有する。
第１溝部に係合凸部が案内され、次いで係合凸部が第２溝部に案内されることにより器具本体にカバーが固定される（特許文献１）。
【先行技術文献】
【特許文献】
【０００３】
【特許文献１】実開昭５０−２９６９２号公報
【発明の概要】
【発明が解決しようとする課題】
【０００４】
しかし、特許文献１の照明器具は、器具本体に対してカバーが周方向に沿って回動すると、係合凸部が第２溝部から第１溝部に移動するため、器具本体からカバーが脱落する虞がある。
【０００５】
本発明は、前述した課題を解決するためになされたものであり、その目的は、器具本体からカバーが脱落することを防止できる照明器具を提供することにある。
【課題を解決するための手段】
【０００６】
本発明の照明器具は、造営材に取り付けられる有底円筒形状の器具本体と、前記器具本体に設けられた電源部および光源部と、前記器具本体の少なくとも外周面を覆う略円筒形状のカバーと、前記器具本体の前記外周面に設けられた係合凹部と、前記カバーの内周面に設けられ、前記係合凹部に係合する係合凸部と、を備え、前記係合凹部は、前記外周面の母線に沿って所定寸法連続する第１溝部と、前記第１溝部に連続するととともに前記外周面の周方向に所定寸法連続する第２溝部と、前記第１溝部に設けられ、前記器具本体の径方向に沿って前記係合凸部が乗り越える第１突起と、前記第２溝部に設けられ、前記外周面の母線方向に沿って前記係合凸部が乗り越える第２突起と、を備える。
【発明の効果】
【０００７】
本発明の照明器具によれば、器具本体からカバーが脱落することを防止できる照明器具を提供できる。
【図面の簡単な説明】
【０００８】
【図１】本発明に係る実施形態の照明器具を示す断面図
【図２】図１の照明器具を示す分解斜視図
【図３】図１のＩ−Ｉ線断面図
【図４】図１の造営材および金属バーを示す斜視図
【図５】図２の係合凹部を示す側面図
【図６】実施形態の係合凹部および係合凸部の関係を示す斜視図
【図７】実施形態の器具本体にカバーを組み付ける例を説明する斜視図
【図８】変形例の係合凹部を示す斜視図
【発明を実施するための形態】
【０００９】
以下、実施形態に係る照明器具について図面を参照して説明する。
（実施形態）
図１，図２に示すように、照明器具１０は、造営材１１に取り付けられる器具本体１５と、器具本体１５に収容される電源部１８、第１端子台２１および第２端子台２２と、器具本体１５に支持される光源部２３と、器具本体１５を覆うカバー２５とを備えている。
さらに、照明器具１０は、光源部２３を保持するホルダ２８と、光源部２３の下方に設けられたレンズ２９とを備えている。
【００１０】
図３に示すように、器具本体１５は、有底円筒形状に形成され（図２も参照）、内部空間３１に電源部１８が収容され、さらに、内部空間３１に第１端子台２１および第２端子台２２が収容されている。器具本体１５の下部１５Ａ（図１参照）すなわち、器具本体１５における内部空間３１とは反対側の下部中央部分に絶縁放熱シート１７を介して光源部２３が支持されている。
【００１１】
図４に示すように、造営材１１の上面１１Ａに金属バー１２が交差した状態に設けられ、金属バー１２の交差部１３に造営材１１を介して器具本体１５（図１参照）が固定される。また、造営材１１のうち、交差部１３から外れた箇所１１ＢＡに開口部１４が形成されている。
図３に戻って、造営材１１の開口部１４から器具本体１５の内部空間３１に電線３２が引き出される。引き出された電線３２は、器具本体１５の内部空間３１において、第１端子台２１の電線挿入孔２１Ａおよび第２端子台２２の電線挿入孔２２Ａから第１端子台２１および第２端子台２２に接続される。
【００１２】
そこで、第１端子台２１の電線挿入孔２１Ａおよび第２端子台２２の電線挿入孔２２Ａを器具本体１５の平面中央部１５Ｂにそれぞれ向けるようにした。
これにより、器具本体１５の内部空間３１に引き出された電線３２を、器具本体１５の内部空間３１において、第１端子台２１の電線挿入孔２１Ａおよび第２端子台２２の電線挿入孔２２Ａまで直線的に延ばし、第１端子台２１および第２端子台２２に接続できる。
【００１３】
図５，図６に示すように、器具本体１５の外周面１６に係合凹部３５が設けられている。係合凹部３５は、外周面１６の母線に沿って形成された第１溝部３６と、第１溝部３６から外周面１６の周方向に連続する第２溝部３７と、第１溝部３６に設けられた第１突起３８と、第２溝部３７に設けられた第２突起３９とを有する。
【００１４】
第１溝部３６は、外周面１６の下縁部１６Ａに下端部３６Ａが開口され、外周面１６の母線に沿って所定寸法Ｌ１だけ上方へ向けて連続するように延ばされ、かつ、器具本体１５の径方向内側に向けて外周面１６から凹むように溝状に形成されている。
第２溝部３７は、第１溝部３６の上端部３６Ｂに連続し、かつ、外周面１６の周方向に所定寸法Ｌ２だけ連続するように延ばされ、かつ、器具本体１５の径方向内側に向けて外周面１６から凹むように溝状に形成されている。
【００１５】
第１突起３８は、第１溝部３６の底面３６Ｃにおいて、上下方向略中央から器具本体１５の径方向外側に向けて突出され、かつ、外周面１６の周方向に連続するように延ばされている。
第１突起３８の突出量は、器具本体１５にカバー２５を取り付ける際に、カバー２５の係合凸部４１が第１突起３８を乗り越えるように決められている。
【００１６】
第２突起３９は、第２溝部３７の底辺３７Ａにおいて、外周面１６の母線方向に沿って上向きに突出されている。第２突起３９の突出量は、器具本体１５にカバー２５を取り付ける際に、カバー２５の係合凸部４１が第２突起３９を乗り越えるように決められている。
【００１７】
器具本体１５の少なくとも外周面１６がカバー２５（図１参照）で覆われる。カバー２５は、器具本体１５の外周面１６を外側から覆うように略円筒形状に形成され、内周面２６に係合凸部４１が設けられている。
係合凸部４１は、係合凹部３５に係合するように、係合凸部４１の内周面２６からカバー２５の径方向外側に向けて突出されている。
【００１８】
つぎに、器具本体１５にカバー２５を組み付ける例を図６、図７に基づいて説明する。
図７において、器具本体１５の取付位置にカバー２５を合わせ、位置合わせしたカバー２５を器具本体１５に向けて矢印Ａの如く押し上げる。
【００１９】
図６において、カバー２５の係合凸部４１を器具本体１５の第１溝部３６に矢印Ｂの如く差し込む。カバー２５を継続して押し上げることにより係合凸部４１が第１突起３８を乗り越えて、第１溝部３６の上端部３６Ｂに矢印Ｃの如く到達する。
【００２０】
この状態で、カバー２５を矢印Ｄの如く回すことにより、係合凸部４１が第２溝部３７に沿って矢印Ｄの如く移動する。係合凸部４１が第２突起３９を矢印Ｅの如く乗り越えて、第２溝部３７の端部（すなわち、カバー２５の取付位置）に到達し、器具本体１５にカバー２５が組み付けられる。
【００２１】
器具本体１５にカバー２５が組み付けられた状態において、カバー２５の係合凸部４１が周方向に移動することを第２溝部３７の第２突起３９で抑えることができる。よって、第２突起３９によりカバー２５を回り難くできる。
さらに、カバー２５が回って係合凸部４１が第２溝部３７の上端部３６Ｂに到達した場合でも、係合凸部４１が母線方向に移動することを第１突起３８で抑えることができる。これにより、器具本体１５からカバー２５が脱落することを防止できる。
【００２２】
以上説明したように、照明器具１０は、造営材１１に取り付けられる有底円筒形状の器具本体１５と、器具本体１５に設けられた電源部１８および光源部２３と、器具本体１５の少なくとも外周面１６を覆う略円筒形状のカバー２５とを備えている。さらに、照明器具１０は、器具本体１５の外周面１６に設けられた係合凹部３５と、カバー２５の内周面２６に設けられ、係合凹部３５に係合する係合凸部４１とを備えている。
【００２３】
また、係合凹部３５は、外周面１６の母線に沿って所定寸法Ｌ１連続する第１溝部３６と、第１溝部３６に連続するととともに外周面１６の周方向に所定寸法Ｌ２連続する第２溝部３７とを備えている。さらに、係合凹部３５は、第１溝部３６に設けられ、器具本体１５の径方向に沿って係合凸部４１が乗り越える第１突起３８と、第２溝部３７に設けられ、外周面１６の母線方向に沿って係合凸部４１が乗り越える第２突起３９とを備えている。
【００２４】
また、好ましくは、照明器具１０は、器具本体１５に設けられた第１端子台２１および第２端子台２２を有し、第１端子台２１の電線挿入孔２１Ａおよび第２端子台２２の電線挿入孔２２Ａは、器具本体１５の平面中央部１５Ｂに向けられている。
【００２５】
次に、実施形態の変形例を図８に基づいて説明する。
なお、実施形態の変形例において実施形態の照明器具１０と同一類似の構成部材については同じ符号を付して説明を省略する。
【００２６】
（変形例）
図８に示すように、変形例の係合凹部４５は、実施形態の第２突起３９に代えて第２突起４６を設けたもので、その他の構成は実施形態１の係合凹部３５と同様である。第２突起４６は、第２溝部３７の底面３７Ｂから外周面１６に向けて突出されている。
カバー２５が組付位置まで回されたとき、係合凸部４１が第２突起４６を乗り越えて、第２溝部３７の端部（すなわち、カバー２５の取付位置）に到達し、器具本体１５にカバー２５が組み付けられる。
【００２７】
なお、本発明の照明器具は、前述した実施形態に限定されるものではなく適宜変更、改良等が可能である。
例えば、前記実施形態で使用した照明器具、造営材、器具本体、電源部、第１端子台、第２端子台、光源部、カバー、係合凹部、第１溝部、第２溝部、第１突起、第２突起および係合凸部等の形状や構成は例示したものに限定するものではなく適宜変更が可能である。
【符号の説明】
【００２８】
１０  照明器具
１１  造営材
１５  器具本体
１５Ｂ  器具本体の平面中央部
１６  外周面
１８  電源部
２１  第１端子台
２１Ａ  第１端子台の電線挿入孔
２２  第２端子台
２２Ａ  第２端子台の電線挿入孔
２３  光源部
２５  カバー
２６  内周面
３５、４５  係合凹部
３６  第１溝部
３７  第２溝部
３８  第１突起
３９、４６  第２突起
４１  係合凸部
Ｌ１、Ｌ２  所定寸法
【図１】
0006327610.tif 000002
【図２】
0006327610.tif 000003
【図３】
0006327610.tif 000004
【図４】
0006327610.tif 000005
【図５】
0006327610.tif 000006
【図６】
0006327610.tif 000007
【図７】
0006327610.tif 000008
【図８】
0006327610.tif 000009